(57)【要約】  本発明は、記録担体自体に記憶された記録担体管理情報に、簡単に且つ迅速にアクセスするための方法及び記録装置に関する。更に、本発明は、このような方法及び記録装置において使用するための記録担体にも関する。
2007520026.tif 000002
【特許請求の範囲】
【請求項１】
ディスク管理情報を記憶するための少なくとも１つの領域を有する記録担体であって、当該記録担体が、更に、前記ディスク管理情報を記憶するための前記領域が使用されているか否かを示す信号を含む領域を有し、前記信号の各信号が、前記ディスク管理情報を記憶するための前記領域の１つに関係付けられる記録担体。
【請求項２】
前記ディスク管理情報を記憶するための前記領域が使用されているか否かを示す信号を含む前記領域が、前記ディスク管理情報を記憶するための前記少なくとも１つの領域の第１の領域内にある、請求項１に記載の記録担体。
【請求項３】
前記ディスク管理情報を記憶するための前記領域が使用されているか否かを示す信号を含む前記領域が、前記ディスク管理情報を記憶するための前記少なくとも１つの領域の前記第１の領域に隣接して置かれる、請求項１に記載の記録担体。
【請求項４】
前記ディスク管理情報を記憶するための前記領域が使用されているか否かを示す信号を含む前記領域は、記録担体のクラスタであり、前記クラスタが、前記ディスク管理情報を記憶するための前記領域の第１のステータスを示す場合はマークを有し、前記ディスク管理情報を記憶するための前記領域の第２のステータスを示す場合はマークを有していない、請求項１乃至３の何れか一項に記載の記録担体。
【請求項５】
前記第１のステータスは、前記ディスク管理情報を記憶するための前記領域が使用されていることを示し、前記第２のステータスは、前記ディスク管理情報を記憶するための前記領域が使用されていないことを示す、請求項４に記載の記録担体。
【請求項６】
記録担体に情報を記録するための方法であり、前記記録担体が、ディスク管理情報を記憶するための少なくとも１つの領域を有し、前記記録担体は、更に、前記ディスク管理情報を記憶するための前記領域が使用されているか否かを示す信号を含む領域を有し、前記信号の各信号が、前記ディスク管理情報を記憶するための前記領域の１つに関係付けられる方法であって、
前記ディスク管理情報を記憶するための前記領域が使用されているか否かを示す信号を含む前記領域にアクセスするステップと、
前記ディスク管理情報を記憶するための最後に使用されている領域を前記信号から決定するステップと、
前記ディスク管理情報を検索するステップとを含む方法。
【請求項７】
前記ディスク管理情報を記憶するための前記領域が使用されているか否かを示す前記信号を含む前記領域にアクセスする前記ステップが、前記記録担体の予め規定された位置にジャンプするステップから構成される、請求項６に記載の方法。
【請求項８】
前記ディスク管理情報を検索する前記ステップが、前記ディスク管理情報を記憶するための最後に使用されている領域の予め規定された位置からポインタ情報を検索するステップと、その後、前記ポインタ情報を使用することによって前記ディスク管理情報を検索するステップとを含む、請求項６に記載の方法。
【請求項９】
記録担体に情報を記録するための記録装置であり、前記記録担体が、ディスク管理情報を記憶するための少なくとも１つの領域を有し、前記記録担体は、更に、前記ディスク管理情報を記憶するための前記領域が使用されているか否かを示す信号を含む領域を有し、前記信号の各信号が、前記ディスク管理情報を記憶するための前記領域の１つに関係付けられる記録装置であって、
請求項６，７又は８に記載の方法を実施する記録装置。
【発明の詳細な説明】
【技術分野】
【０００１】
本発明は、記録担体に情報を記録するための方法及び記録装置であって、特に、この記録担体がディスク管理情報を記憶するための少なくとも１つの領域を有するライトワンスタイプ（write-once type，追記型）のディスク状記録担体である、方法及び記録装置に関する。本発明は、記録担体であって、特に、ディスク管理情報を記録するための少なくとも１つの領域を有するライトワンスタイプのディスク状記録担体にも関する。
【背景技術】
【０００２】
例えば、ブルーレイディスクのような光記録システムは、記録時にあらゆる種類のディスク管理情報の記録を残す。記録を残すことが必要であるこのようなディスク管理情報の実例は、ディスクのトラック及びセッション構造体、ディスクの欠陥領域の位置、並びにディスクの記録された領域及び記録されていない領域の位置である。一般に、このディスク管理情報は、ディスクの使用中に何回もアップデートされる必要がある。このことは、ランダム記録の場合、特に当てはまる。
【０００３】
このディスク管理情報を記憶しアップデートするために、特別な領域が、一般に、ディスク自体において利用可能である。このような特別な領域は、一般に、ディスクのリードインゾーン及び／又はリードアウトゾーンにある。この特別な領域は、例えば、ディスクの欠陥領域（及びそれらとの置き換え領域）の位置を記憶するための欠陥リストと、ディスクにおける、例えば、クラスタのような記録された領域及び記録されていない領域の位置を記憶するための空間ビットマップとを有してもよい。更に、トラック及びセッション境界が、この特別な領域に登録されてもよい。本出願では、このような特別な領域は、一時的なディスク管理領域（ＴＤＭＡ：Temporary Disc Management Area）と称される。
【０００４】
シングルレイヤディスク（即ち、記録されるべき情報を記憶するためのシングル情報レイヤを有するディスク）の場合、このＴＤＭＡ領域は、一般に、リードインゾーンにあり、ＴＤＭＡ０と称される。デュアルレイヤディスク（即ち、レイヤＬ０及びレイヤＬ１と称される２つの情報レイヤを有するディスク）の場合、一般に、レイヤＬ０のリードインゾーンに位置する同じＴＤＭＡ０領域と、追加として、レイヤＬ１のリードアウトゾーンのＴＤＭＡ１と称される第２のＴＤＭＡ領域とがある。ブルーレイディスクフォーマット規格では、ＴＤＭＡ０及びＴＤＭＡ１の双方が、２０４８個の物理クラスタから成る固定サイズをもつように規定される。
【０００５】
特に、ライトワンスディスクの場合、他のＴＤＭＡは、ディスク管理情報を記憶するためのより大きい記憶空間を容易にもたらすように規定されてもよい。これらの他の領域は、何回もアップデートが必要である場合、例えば、（可能性として短い記録後に）何回もイジェクトを行なう場合、又は、例えば、動力故障に備えて、より堅固なロバスト性のためにより頻繁なアップデートスキームが望まれる場合、有用であり得る。ライトワンスディスクにおいては、ＴＤＭＡは、（リライタブルディスクとは対照的に）上書きされることはできない。従って、他の記憶空間が必要とされ得る。例えば、シングルレイヤライトワンスディスクは、そのＴＤＭＡ０に次いで、少なくとも１つの他のＴＤＭＡ領域（図１ではＴＤＭＡ１）を備えてもよく、デュアルレイヤライトワンスディスクは、そのＴＤＭＡ０及びＴＤＭＡ１に次いで、レイヤＬ０で少なくとも１つの他のＴＤＭＡ領域及びレイヤＬ１で少なくとも１つの領域を備えてもよい。図２では、これらの他のＴＤＭＡ領域は、ＴＤＭＡ２，ＴＤＭＡ３及びＴＤＭＡ４と呼ばれる。
【０００６】
一般に、ＴＤＭＡ領域は、ディスクが初期化される場合に割り当てられ、その場合、少なくとも１つのＴＤＭＡ領域（ＴＤＭＡ０）がシングルレイヤディスクについて割り当てられ、少なくとも２つのＴＤＭＡ領域（ＴＤＭＡ０及びＴＤＭＡ１）がデュアルレイヤディスクについて割り当てられる。一般に、ＴＤＭＡ領域は、シーケンシャルに使用され、
シングルレイヤディスク：ＴＤＭＡ０→ＴＤＭＡ１；
デュアルレイヤディスク：ＴＤＭＡ０→ＴＤＭＡ１→ＴＤＭＡ２→ＴＤＭＡ３→ＴＤＭＡ４の順序で使用される。
各々のＴＤＭＡ領域は、一般に、続いて満たされている。
【０００７】
ブルーレイディスク光記録システムにおいて、ディスクのＴＤＭＡ領域に記憶されたディスク管理情報は、変更されている部分についてのみアップデートされる。例えば、レイヤＬ０（ＳＢＭ０）の空間ビットマップ（ＳＢＭ）が変更され、レイヤＬ１（ＳＢＭ１）の空間ビットマップが変更されていない場合、レイヤＬ０のアップデートされた空間ビットマップのみがＴＤＭＡに書き込まれる。一時的なディスク規定セクタ（ＴＤＤＳ）は、ＴＤＭＡにおいて最新バージョンの種々の構造体のポインタを含む（図３参照）。この場合、ドライブは、ディスクのＴＤＤＳにアクセスし、ポインタを読み取り、続いて、図３に示されるＳＢＭ０及びＳＢＭ１のような関連の最新の構造体にアクセスすることによって、最新ステータスを見つけることができる。このために、ＴＤＭＡの最後に書き込まれたクラスタは、種々の構造体への最新のポインタを含んでいる特定の位置（図３に示されるクラスタＺのデータフレーム３１）において最新ＴＤＤＳを含む。
【発明の開示】
【発明が解決しようとする課題】
【０００８】
ディスクがドライブに挿入される場合、ドライブは、可能な限り迅速に使用されているＴＤＭＡを見つける必要がある。しかしながら、これにはかなりの時間がかかる可能性がある。例えば、ディスクにおいて第１のｎ個のＴＤＭＡ領域が既に満たされており、ＴＤＭＡ（ｎ＋１）が使用されているＴＤＭＡ領域である場合、ドライブは、ＴＤＭＡ（ｎ＋１）に到達する前に、前のｎ個のＴＤＭＡ領域全てをスキャンしなければならない。更に、ＴＤＭＡ領域のシーケンスのこのスキャニングは、ＴＤＭＡ領域のシーケンスの一部が損なわれている場合、非常に長い時間がかかる可能性があり、ドライブは、次のクラスタへ進む前に複数回の再試行を実施する。
【０００９】
本発明の目的は、特に、ＴＤＭＡ領域の一部が損なわれている場合に、このスタートアップ期間を短縮することにある。
【課題を解決するための手段】
【００１０】
この目的は、以下に説明される方法及び記録装置を提供することによって、更に、本発明による方法及び記録装置に使用される記録担体を提供することによって達成される。
【００１１】
シングルレイヤディスク及びデュアルレイヤディスクは、両方とも、少なくとも１つのＴＤＭＡ領域、即ち、第１のＴＤＭＡ領域、ＴＤＭＡ０を有する。本発明の第１の実施態様によれば、この第１のＴＤＭＡ領域、ＴＤＭＡ０は、第１のＴＤＭＡ領域自体及び（ＴＤＭＡ領域のシーケンスにおける）後続のＴＤＭＡ領域が使用されているか否かを示す信号を有する。本発明の第２の実施態様によれば、この第１のＴＤＭＡ領域、ＴＤＭＡ０は、（検出領域と称される）領域がその後に続き、この検出領域は、第１のＴＤＭＡ領域及び（ＴＤＭＡ領域のシーケンスにおける）後続のＴＤＭＡ領域が使用されているか否かを示す信号を有する。これらの信号からの情報を検索することによって、ドライブは、最も最新のディスク管理情報を保持する最後に使用されたＴＤＭＡ領域に直接ジャンプすることができる。この場合、第１のＴＤＭＡ領域（即ち、ＴＤＭＡ０）又は検出領域からの情報のみが検索される必要があり、最も最新のディスク管理情報を保持するＴＤＭＡ領域とこの第１のＴＤＭＡ領域との間にある全てのＴＤＭＡ領域は、スキップされることができる。
【００１２】
好ましい実施形態において、信号は、高周波（ＨＦ）マークの存在又は欠如の形式である。使用される指標は、ディスクで使用されている対応するＴＤＭＡ領域に対する高周波（ＨＦ）の存在である。ここで、第１のＴＤＭＡ領域自体のデータコンテントは、検出に関連しない。
【００１３】
本発明の特徴及び利点は、添付の図面に示される本発明の実施形態の以下のより具体的な説明から明らかとなる。
【発明を実施するための最良の形態】
【００１４】
図１は、例証によって、シングルレイヤライトワンスディスクを示す。このディスクは、そのＴＤＭＡ０に次いで、外側スペア領域０（ＯＳＡ０）の外の方に置かれる他のＴＤＭＡ１領域を備える。図２は、例証によって、デュアルレイヤライトワンスディスクを示し、このディスクは、そのＴＤＭＡ０及びＴＤＭＡ１に次いで、レイヤＬ０に１つの他のＴＤＭＡ領域及びレイヤＬ１に２つの他のＴＤＭＡ領域を備える。これらの他のＴＤＭＡ領域は、ＴＤＭＡ２、ＴＤＭＡ３及びＴＤＭＡ４と呼ばれ、それぞれ、外側スペア領域ＯＳＡ０、外側スペア領域ＯＳＡ１及び内側スペア領域ＩＳＡ１に置かれる。
【００１５】
これらのシングルレイヤ及びデュアルレイヤディスクにおいては、少なくとも１つのＴＤＭＡ領域、即ち、ＴＤＭＡ０が利用可能である。本発明のある実施形態では、少なくとも１つのＴＤＭＡ領域（ＴＤＭＡ０）の予め規定された数のクラスタが、満たされたＴＤＭＡを示すために確保される。この予め規定された数は、ＴＤＭＡ領域の数に対応する。代替の実施形態では、少なくとも１つのＴＤＭＡ領域（ＴＤＭＡ０）の後には、満たされたＴＤＭＡを示すために確保されたクラスタの予め規定された数から構成される検出領域が続く（図４参照）。
【００１６】
図４は、（図２に示されるものと同じ）デュアルレイヤディスクの情報レイヤＬ０の一部を示し、ここでは、１０４８個のクラスタから成るＴＤＭＡ０の後に、４つのクラスタから成る検出領域が続く。使用される指標は、４つの後続のＴＤＭＡ領域（図２のＴＤＭＡ１乃至ＴＤＭＡ４）で表わされる各クラスタに対する高周波（ＨＦ）インジケータの存在である。検出領域のクラスタにおける高周波（ＨＦ）の存在は、ディスクで対応するＴＤＭＡ領域（１，２，３又は４）が使用されていることを示す。検出領域自体のクラスタのデータコンテントは、検出に対して関連していない。図４に示される実施例において、ＴＤＭＡ２は、ＴＤＭＡアップデートのためにドライブによって現在使用されているＴＤＭＡ領域であり、ＴＤＭＡ０及びＴＤＭＡ１は、フルであるか、又は何らかの他の理由のためにこれ以上使用されることはできない。
【００１７】
クラスタにおける高周波（ＨＦ）の存在は、そのクラスタにマークのパターンを書き込むことによって得られてもよい。マークのパターンは、例えば、ランダム情報を表わしてもよい。なぜならば、クラスタの情報コンテントは、検出に対して関連していないからである。ここで、上記クラスタに書き込まれるマークをもつ当該クラスタは高周波（ＨＦ）信号を現在もち、上記クラスタに書き込まれるマークをもたないクラスタは高周波（ＨＦ）信号を現在もっていない。
【００１８】
検出領域における４つのクラスタの何れも書き込まれていない場合、即ち、上記クラスタの何れも高周波（ＨＦ）インジケータをもっていない場合、ＴＤＭＡ０が使用されている。代替の実施形態では、ＴＤＭＡ０領域が使用されているか否かを示すために他のクラスタが追加される。図２に示されるデュアルレイヤディスクに関する上記の実施例において、検出領域は、ＴＤＭＡ領域に関係付けられる５つのクラスタ（０，１，２，３又は４）から構成されるであろう。
【００１９】
本発明によるドライブは、検出領域にジャンプし、高周波（ＨＦ）インジケータの存在又は欠如をチェックし、その後、示されたＴＤＭＡのみをスキャンすることによって、使用されているＴＤＭＡ領域を迅速に検出することができる。一実施形態では、当該ＴＤＭＡ領域の最後に書き込まれたクラスタのみが、全てのディスク管理情報にアクセスすることができるように読み出されなければならない。なぜならば、この最後に書き込まれたクラスタは、一時的なディスク規定セクタ（ＴＤＤＳ）を含むからである。
【００２０】
他の実施形態では、ドライブが、検出領域に直接ジャンプすることができる。なぜならば、この検出領域は、ディスクに固定アドレスをもつからである。
【００２１】
高周波（ＨＦ）指標が使用される実施形態は、非常にロバストな検出機構をもたらすことに留意されたい。この理由は、正確なデータコンテントを読み取る必要がなく、高周波（ＨＦ）の存在又は欠如のみが関連するからである。この実施形態は、媒体に対するスクラッチ、汚れ及び他の損傷に容易に耐えられる。このことは、クラスタが、めったに完全には損なわれないディスクの（内径において）約半分の回転を必要とする場合には特にそうである。
【００２２】
更に、本発明は、シングルレイヤ及びデュアルレイヤディスクだけに制限されるものではなく、同様に、記録されるべき情報を記憶するための任意の数の情報レイヤを有するディスクにおいても有利に使用され得ることにも留意されたい。
【図面の簡単な説明】
【００２３】
【図１】シングルレイヤディスクにおけるＴＤＭＡ領域の位置の一実施例を示す図である。
【図２】デュアルレイヤディスクにおけるＴＤＭＡ領域の位置の一実施例を示す図である。
【図３】最後のクラスタのＴＤＤＳを示すＴＤＭＡに書き込まれた情報クラスタの一実施例を示す図である。
【図４】ＴＤＭＡ２まで使用されている状態の検出領域の一実施例を示す図である。
【図１】
2007520026.tif 000003
【図２】
2007520026.tif 000004
【図３】
2007520026.tif 000005
【図４】
2007520026.tif 000006
【国際調査報告】
2007520026.tif 000007
2007520026.tif 000008
2007520026.tif 000009